(57)【要約】【課題】吊りロープの長さの微調整のためのドライバ等の操作を容易とする建具を提供すること。【解決手段】左右の縦枠４４と上下の横枠４２とにより枠組みされた枠体４０と、枠体４０内に配置され、第１框体５０を有する第１障子５と、枠体４０内の下方に配置され、第２框体６０を有する第２障子６と、を備える建具であって、少なくとも第１障子５に設けられ、ワイヤ６４８の一端部に対して第１障子５を上下に変位させて上下方向における第２障子６に対する第１障子５の位置を調節するための調節部７５と、を備え、第２障子６は、第１障子５よりも上側に位置することが可能であり、第１障子５の屋内側の見付面に、調節部５７が位置している建具１である。【選択図】図９
2020159102.tif 000002
【特許請求の範囲】
【請求項１】
左右の縦枠と上下の横枠とにより枠組みされた枠体と、
前記枠体内に配置され、第１框体を有する第１障子と、
前記枠体内の下方に配置され、第２框体を有する第２障子と、
前記枠体に支持された滑車と、
前記滑車に巻き掛けられ、一端部が前記第１障子に係止され、他端部が前記第２障子に係止されるワイヤと、
少なくとも前記第１障子に設けられ、前記ワイヤの一端部に対して前記第１障子を上下に変位させて上下方向における前記第２障子に対する前記第１障子の位置を調節するための調節部と、を備え、
前記第２障子は、前記第１障子よりも上側に位置することが可能であり、
前記第１障子の屋内側の見付面に、前記調節部が位置している建具。
【請求項２】
前記第２障子が前記第１障子よりも上側に位置する状態となったときに、前記第１障子が下へ移動することを規制する第１のストッパに前記第１障子が当接し、前記第２障子が上へ移動することを規制する第２のストッパに前記第２障子が当接するように、前記第１のストッパは、前記第２のストッパよりも下側に位置している請求項１に記載の建具。
【請求項３】
前記調節部は、
前記ワイヤの一端部が係止されるワイヤ係止部と、
前記ワイヤの一端部から前記滑車に向かって延びる前記ワイヤの延出方向に対して所定のなす角度に傾斜する傾斜板部と、前記傾斜板部から下方向へ延びる下方延出板部と、を有して前記第１障子に固定される調節基部と、
一端部が前記ワイヤ係止部に当接し、他端部が前記傾斜板部に当接する中間部材と、
前記中間部材に螺合し、回転させられることにより前記中間部材を前記下方延出板部に対して進退させるねじと、を備え、
前記ねじを回転させることにより、前記ワイヤ係止部が前記ワイヤの延出方向に移動して、上下方向における前記第２障子に対する前記第１障子の位置が調節される請求項１又は請求項２に記載の建具。
【請求項４】
前記下方延出板部には、貫通孔である長孔が形成され、
前記ねじは、前記長孔を貫通して前記中間部材に螺合し、前記長孔内を移動可能である請求項３に記載の建具。
【発明の詳細な説明】
【技術分野】
【０００１】
本発明は、建具に関する。
【背景技術】
【０００２】
従来、枠体と、枠体内の上部に配置される上障子と、枠体内の下部に配置される下障子と、を備える上げ下げ窓が知られている（例えば、特許文献１参照）。上げ下げ窓においては、上障子と下障子とが吊りロープの一端部と他端部とにそれぞれ固定され、吊りロープの途中の部分が滑車に巻き掛けられている。下障子を上方向へ移動させることにより、ロープを介して下障子に連結された上障子が下方向へ移動する。
【先行技術文献】
【特許文献】
【０００３】
【特許文献１】特許第３２４５３１８号公報
【発明の概要】
【発明が解決しようとする課題】
【０００４】
前述のように、上げ下げ窓においては、上障子と下障子とが連結されているため、吊りロープの長さが長過ぎる場合には、上障子と下障子との間が開いてしまい、また、吊りロープの長さが短過ぎる場合には、上障子の上框と上枠との間に隙間が開いてしまう。このため、吊りロープの長さを微調整可能な調節部材が設けられる。
しかし、調節部材は上障子に固定され、上障子の上下方向への移動をガイドするガイド溝に配置されるため、上げ下げ窓の施工後における吊りロープの長さの微調整のためのドライバ等の操作をしにくい。
【０００５】
本発明は、吊りロープの長さの微調整のためのドライバ等の操作を容易とする建具を提供することを目的とする。
【課題を解決するための手段】
【０００６】
本発明は、左右の縦枠（例えば、後述のスイング縦框４３、スイング縦框４４）と上下の横枠（例えば、後述のスイング上框４１、スイング下框４２）とにより枠組みされた枠体（例えば、後述のスイング框体４０）と、前記枠体内に配置され、第１框体（例えば、後述の框体５０）を有する第１障子（例えば、後述の上障子５）と、前記枠体内の下方に配置され、第２框体（例えば、後述の框体６０）を有する第２障子（例えば、後述の下障子６）と、前記枠体に支持された滑車と、前記滑車に巻き掛けられ、一端部が前記第１障子に係止され、他端部が前記第２障子に係止されるワイヤ（例えば、後述のワイヤ６４８）と、少なくとも前記第１障子に設けられ、前記ワイヤの一端部に対して前記第１障子を上下に変位させて上下方向における前記第２障子に対する前記第１障子の位置を調節するための調節部（例えば、後述の吊り金具５７）と、を備え、前記第２障子は、前記第１障子よりも上側に位置することが可能であり、前記第１障子の屋内側の見付面に、前記調節部が位置している建具に関する。
【０００７】
また、前記第２障子が前記第１障子よりも上側に位置する状態となったときに、前記第１障子が下へ移動することを規制する第１のストッパ（例えば、後述の保持部４６１）に前記第１障子が当接し、前記第２障子が上へ移動することを規制する第２のストッパ（例えば、後述の上側規制部４６２）に前記第２障子が当接するように、前記第１のストッパは、前記第２のストッパよりも下側に位置していることが好ましい。
【０００８】
また、前記調節部は、前記ワイヤの一端部が係止されるワイヤ係止部（例えば、後述のワイヤ係止部５７２）と、前記ワイヤの一端部から前記滑車に向かって延びる前記ワイヤの延出方向に対して所定のなす角度に傾斜する傾斜板部（例えば、後述の傾斜部５７１５）と、前記傾斜板部から下方向へ延びる下方延出板部（例えば、後述の延出板部５７１４）と、を有して前記第１障子に固定される調節基部（例えば、後述の調整基部５７１）と、一端部が前記ワイヤ係止部に当接し、他端部が前記傾斜板部に当接する中間部材（例えば、後述の調整部材５７５）と、前記中間部材に螺合し、回転させられることにより前記中間部材を前記下方延出板部に対して進退させるねじ（例えば、後述のねじ５７３）と、を備え、前記ねじを回転させることにより、前記ワイヤ係止部が前記ワイヤの延出方向に移動して、上下方向における前記第２障子に対する前記第１障子の位置が調節されることが好ましい。
【０００９】
また、前記下方延出板部には、貫通孔である長孔（例えば、後述の長孔５７１６）が形成され、前記ねじは、前記長孔を貫通して前記中間部材に螺合し、前記長孔内を移動可能であることが好ましい。
【発明の効果】
【００１０】
本発明によれば、吊りロープの長さの微調整のためのドライバ等の操作を容易とする建具を提供することができる。
【図面の簡単な説明】
【００１１】
【図１】本発明の一実施形態に係る建具を屋外側から見た姿図である。
【図２】上記実施形態に係る建具を屋内側から見た姿図である。
【図３】上記実施形態に係る上障子及び下障子が開いた状態を示す斜視図である。
【図４】上記実施形態に係る建具の縦断面図である。
【図５Ａ】上記実施形態に係る建具の上下方向における中央部の横断面図である。
【図５Ｂ】上記実施形態に係る建具の上下方向における下側部分の横断面図である。
【図６】上記実施形態に係る建具の突出部材を示す平面図である。
【図７】上記実施形態に係る建具の要部縦断面図である。
【図８】上記実施形態に係る建具において下障子がガイドされている様子を示す斜視図である。
【図９】上記実施形態に係る建具の吊り金具において調整基部が最も下側に位置した状態を屋内側から見た図である。
【図１０】図９に示す建具の吊り金具を、戸先側から戸尻側へ向かう方向から見た図である。
【図１１】上記実施形態に係る建具の吊り金具において調整基部が最も上側に位置した状態を屋内側から見た図である。
【図１２】図１１に示す建具の吊り金具を、戸先側から戸尻側へ向かう方向から見た図である。
【図１３】上障子及び下障子が閉じた状態を説明する図である。
【図１４】上障子及び下障子が開いた状態を説明する図である。
【発明を実施するための形態】
【００１２】
以下、本発明の一実施形態について、図面を参照しながら詳しく説明する。なお、本明細書において、「見付方向」とは、建物に形成された開口部に納められた建具における障子の面方向を意味し、「見込方向」とは、上記障子の厚さ方向を意味する。
【００１３】
図１は、建具１を屋外側から見た姿図である。図２は、建具１を屋内側から見た姿図である。図３は、上障子５及び下障子６が開いた状態を示す斜視図である。図４は、建具１の縦断面図である。図５Ａは、建具１の上下方向における中央部の横断面図である。図５Ｂは、建具１の上下方向における下側部分の横断面図である。図６は、建具１の突出部材７９１２を示す平面図である。図７は、建具１の要部縦断面図である。図８は、建具１において下障子６がガイドされている様子を示す斜視図である。
【００１４】
建具１は、勝手口ドア等のドアである。建具１は、建物に形成された開口に納められる。建具１は、建物の開口に取り付けられる固定枠体２０と、固定枠体２０に開閉可能に嵌め込まれる戸体４と、を備える。
【００１５】
固定枠体２０は、上下の横枠としての固定上枠２１及び固定下枠２２と、左右の縦枠としての吊元側の固定縦枠２３及び戸先側の固定縦枠２４により矩形に枠組みされる。
戸体４は、スイング框体４０と、スイング框体４０に嵌め込まれる第１障子としての上障子５、及び、第２障子としての下障子６とを備える。
【００１６】
スイング框体４０は、上下の横枠としてのスイング上框４１及びスイング下框４２と、左右の縦框としての吊元側のスイング縦框４３及び戸先側のスイング縦框４４により矩形に枠組みされる。
戸先側のスイング縦框４４は、高さ方向の略中央部にドアノブ８ａを備える（図１及び図２）。また、戸先側のスイング縦框４４は、図２に示すように、屋内側のドアノブ８ａの上下に配置される錠の開閉を行うためのサムターン８ｂ，８ｃを備える。サムターン８ｂ，８ｃを回転させることで、図示しないデットボルトを操作して建具１を施錠できる。
【００１７】
上障子５は、第１框体としての框体５０と、框体５０に嵌め込まれて固定されたガラス５５と、を備える。框体５０は、上框５１と、下框５２と、吊元側の縦框５３及び戸先側の縦框５４と、により矩形に框組みされる。
下障子６は、第２框体としての框体６０と、框体６０に嵌め込まれて固定されたガラス６５と、を備える。框体６０は、上框６１と、下框６２と、吊元側の縦框６３及び戸先側の縦框６４と、により矩形に框組みされる。
上障子５及び下障子６は、採風窓を構成する。具体的には、下障子６は、スイング框体４０内において見込方向且つ上下方向に移動可能、又は、見付方向に移動可能に設けられている。即ち、下障子６を屋内側に引きながら引き上げているときには、下障子６は、見込方向（屋内の方向）且つ見付方向（上方向）に移動しており、その後に、下障子６を上方へ引き上げているときには、下障子６は、上下方向にのみ移動する。上障子及び下障子は、いわゆるフラットスライド構造を備える。即ち、上障子５と下障子６とにより構成される採風窓が閉鎖された状態では、下障子６は、上障子５の下方の同一平面内に配置される。
【００１８】
建具１は、スイング縦框４３及びスイング縦框４４に沿って、上障子５を下方向に、下障子６を上方向にそれぞれ移動させて屋外と屋内とを連通させて採風することができる。框体６０の上框６１は、戸先側と吊元側の両端に配置され、下障子６を閉鎖状態に固定するためのスライドロック８ｄを有する。
【００１９】
戸体４は、屋内側からドアノブ８ａを把持して反時計回り回動し、図示しないデットボルトを操作しつつ、戸先側のスイング縦框４４を屋外側に押し出して、戸体４をピポットヒンジ（図示しない）の軸芯の回りに回動させることで開放することができる。
【００２０】
建物は、図示しない外壁材と、内壁材と、開口部の四周に渡って設けられた内装材と、を有する。また、建物は、外壁材と内壁材との間の開口部に沿って配置された図示しないフレーム材を有する。
【００２１】
図４に示すように、ガラス５５は、屋内側の板ガラス５５１と、屋外側の板ガラス５５２と、これら２枚の板ガラスの間に配置された中間ガラス５５３と、これら３枚の板ガラスで挟持されたスペーサ５５４と、を備える複層ガラスであり、優れた断熱性を有する。ガラス６５も、屋内側の板ガラス６５１と、屋外側の板ガラス６５２と、これら２枚の板ガラスの間に配置された中間ガラス６５３と、これら３枚の板ガラスで挟持されたスペーサ６５４と、を備える複層ガラスであり、優れた断熱性を有する。
【００２２】
固定上枠２１は、固定上枠本体２１１を有する。固定上枠本体２１１は、屋外側に配置される固定金属上枠２１３と、固定金属上枠２１３の屋内側に配置される固定樹脂上枠２１４と、を含んで構成される。
【００２３】
固定金属上枠２１３は、中空部を有するホロー構造である。固定金属上枠２１３は、屋内側の端部から略鉛直方向に延出して形成された固定金属上枠垂設部２１３ａを有する。固定樹脂上枠２１４は、固定金属上枠垂設部２１３ａの屋内側に取り付けられる。固定金属上枠垂設部２１３ａの下端の屋外側には、気密材２１３ｂが取り付けられる。
【００２４】
固定金属上枠２１３は、例えばアルミニウムで構成される。より具体的には、固定金属上枠２１３は、アルミニウムを押出成形することで得られる。
固定樹脂上枠２１４は、例えば塩化ビニル樹脂等の合成樹脂で構成される。より具体的には、固定樹脂上枠２１４は、塩化ビニル樹脂等の合成樹脂を押出成形することで得られる。
【００２５】
スイング上框４１は、スイング金属上框４１１と、スイング金属上框４１１の屋内側に配置されるスイング樹脂上框４１２と、を含んで構成される。
【００２６】
スイング金属上框４１１は、中空部を有するホロー構造である。スイング金属上框４１１は、屋外側の端部から略鉛直方向に延出して形成されたスイング金属上框垂設部４１１ａを有する。スイング金属上框垂設部４１１ａの下端の屋内側には、気密材４１１ｂが取り付けられる。スイング樹脂上框４１２は、屋内側の端部から略鉛直方向に延出して形成るめされたスイング樹脂上框垂設部４１２ａを有する。スイング樹脂上框垂設部４１２ａの下端の屋内側には、モヘア部材４１２ｂが取り付けられる。スイング樹脂上框４１２は、屋内側において気密材２１３ｂと当接する。スイング上框４１は、スイング金属上框垂設部４１１ａ及びスイング樹脂上框垂設部４１２ａによって形成される下方に開放した溝４１ａを有する。
【００２７】
スイング金属上框４１１は、例えばアルミニウムで構成される。より具体的には、スイング金属上框４１１は、アルミニウムを押出成形することで得られる。
スイング樹脂上框４１２は、例えば塩化ビニル樹脂等の合成樹脂で構成される。より具体的には、スイング樹脂上框４１２は、塩化ビニル樹脂等の合成樹脂を押出成形することで得られる。
【００２８】
上框５１は、金属上框５１１を含んで構成される。金属上框５１１は、屋外側において気密材４１１ｂと当接する。また、金属上框５１１は、屋内側において、モヘア部材４１２ｂに当接する。上框５１は、下方に開口して形成される溝５１ａを有し、ガスケット５１ｂを介してガラス５５の上端縁を挟持する。
【００２９】
下框５２は、金属下框５２１を含んで構成される。下框５２は、上方に開口して形成される溝５２ａを有し、ガスケット５２ｂを介してガラス５５の下端縁を挟持する。
【００３０】
金属上框５１１及び金属下框５２１は、例えばアルミニウムで構成される。より具体的には、金属上框５１１及び金属下框５２１は、アルミニウムを押出成形することで得られる。金属下框５２１は、下框５２の屋外側の見付け面から下方向に延びる下方延出部５２１１を有している。
【００３１】
上框６１は、金属上框６１１と、金属上框６１１の屋内側に配置される樹脂上框６１２と、を含んで構成される。金属上框６１１は、屋内側の端部から略鉛直方向に延出した金属上框立設部６１１ａを有する。樹脂上框６１２は、金属上框立設部６１１ａの屋内側に係合される。樹脂上框６１２は、下障子６を屋内側に引いてから引き上げるための取手としての役割を有する。上框６１は、下方に開口して形成される溝６１ａを有し、ガスケット６１ｂを介してガラス６５の上端縁を挟持する。
【００３２】
下框６２は、金属下框６２１と、金属下框６２１の屋内側に配置される樹脂下框６２２と、を含んで構成される。樹脂下框６２２は、金属下框６２１の屋内側に係合される。下框６２は、上方に開口して形成される溝６２ａを有し、ガスケット６２ｂを介してガラス６５の下端縁を挟持する。
【００３３】
金属上框６１１及び金属下框６２１は、例えばアルミニウムで構成される。より具体的には、金属上框６１１及び金属下框６２１は、アルミニウムを押出成形することで得られる。
樹脂上框６１２及び樹脂下框６２２は、例えば塩化ビニル樹脂等の合成樹脂で構成される。より具体的には、樹脂上框６１２及び樹脂下框６２２は、塩化ビニル樹脂等の合成樹脂を押出成形することで得られる。
【００３４】
スイング下框４２は、スイング金属下框４２１と、スイング金属下框４２１の屋内側に配置されるスイング樹脂下框４２２と、を含んで構成される。
【００３５】
スイング金属下框４２１は、中空部を有するホロー構造である。スイング金属下框４２１は、屋外側の端部から略鉛直方向に延出して形成されたスイング金属下框立設部４２１ａを有する。スイング金属下框立設部４２１ａの上端の屋内側には、気密材４２１ｂが取り付けられる。気密材４２１ｂは、金属下框６２１の屋外側と当接する。気密材４２１ｂの内部には、空気層が形成されている。スイング樹脂下框４２２は、屋内側の端部から略鉛直方向に延出して形成されたスイング樹脂下框立設部４２２ａを有する。スイング下框４２は、スイング金属下框立設部４２１ａ及びスイング樹脂下框立設部４２２ａによって形成される上方に開放した溝４２ａを有する。
また、スイング下框４２の溝４２ａの底部には、気密材４２ｂが取り付けられる。気密材４２ｂは、金属下框６２１の下端に当接する。気密材４２ｂは中空の構成を有している。気密材４２ｂ、及び、気密材４２１ｂにより、下障子６の屋外側と屋内側とが気密とされ、建具１は、優れた断熱性を有する。
【００３６】
スイング金属下框４２１は、例えばアルミニウムで構成される。より具体的には、スイング金属下框４２１は、アルミニウムを押出成形することで得られる。
スイング樹脂下框４２２は、例えば塩化ビニル樹脂等の合成樹脂で構成される。より具体的には、スイング樹脂下框４２２は、塩化ビニル樹脂等の合成樹脂を押出成形することで得られる。
【００３７】
固定下枠２２は、固定下枠本体２２１を有する。固定下枠本体２２１は、屋外側に配置される固定金属下枠２２３と、固定金属下枠２２３の屋内側に配置される固定樹脂下枠２２４と、を含んで構成される。
【００３８】
固定金属下枠２２３は、中空部を有するホロー構造である。固定金属下枠２２３は、屋内側の端部から略鉛直方向に延出して形成された固定金属下枠立設部２２３ａを有する。固定樹脂下枠２２４は、固定金属下枠立設部２２３ａの上側に取り付けられる。固定樹脂下枠２２４の屋外側には、気密材２２４ａが取り付けられる。気密材２２４ａは、スイング樹脂下框４２２に当接する。
【００３９】
固定金属下枠２２３は、例えばアルミニウムで構成される。より具体的には、固定金属下枠２２３は、アルミニウムを押出成形することで得られる。
固定樹脂下枠２２４は、例えば塩化ビニル樹脂等の合成樹脂で構成される。より具体的には、固定樹脂下枠２２４は、塩化ビニル樹脂等の合成樹脂を押出成形することで得られる。
【００４０】
図５Ａに示すように、吊元側の固定縦枠２３は、固定縦枠本体２３１を有する。固定縦枠本体２３１は、屋外側に配置される固定金属縦枠２３３と、固定金属縦枠２３３の屋内側に配置される固定樹脂縦枠２３４と、を含んで構成される。
【００４１】
固定金属縦枠２３３は、中空部を有するホロー構造である。固定金属縦枠２３３は、屋内側の端部から戸先側に延出して形成された固定金属縦枠横設部２３３ａを有する。固定樹脂縦枠２３４は、固定金属縦枠横設部２３３ａに取り付けられる。固定樹脂縦枠２３４の先端の屋外側には、気密材２３４ａが取り付けられる。
【００４２】
固定金属縦枠２３３は、例えばアルミニウムで構成される。より具体的には、固定金属縦枠２３３は、アルミニウムを押出成形することで得られる。
固定樹脂縦枠２３４は、例えば塩化ビニル樹脂等の合成樹脂で構成される。より具体的には、固定樹脂縦枠２３４は、塩化ビニル樹脂等の合成樹脂を押出成形することで得られる。
【００４３】
吊元側のスイング縦框４３は、スイング金属縦框４３１と、スイング金属縦框４３１の屋内側に配置されるスイング樹脂縦框４３２と、を含んで構成される。
【００４４】
スイング金属縦框４３１は、中空部を有するホロー構造である。スイング金属縦框４３１は、屋外側の端部から戸先側に延出して形成されたスイング金属縦框横設部４３１ａを有する。スイング金属縦框横設部４３１ａの先端の屋内側には、気密材４３１ｂが取り付けられる。
【００４５】
スイング縦框４３は、スイング金属縦框横設部４３１ａ及びスイング樹脂縦框４３２の戸先側の部分によって形成され戸先側に開放した溝４３ｂ、ガイド溝４３ａ、及び、図示しないアーム部ガイド溝（スイング縦框４４のアーム部ガイド溝４４ｄ（図７等参照）に対して左右対称形状でスイング縦框４３に形成されたアーム部ガイド溝）を有する。溝４３ｂは、上障子５を見付方向に移動させる際、即ち、上障子５を下方向に移動させる際、また下方向に移動させた上障子５を元の状態に戻す際に、上障子５の吊元側の縦框５３から突出した後述の吊り金具５７を案内する。
【００４６】
より具体的には、スイング縦框４３は、スイング樹脂縦框４３２によって溝４３ｂよりも屋外側に形成され且つ戸先側に開放したガイド溝４３ａを有する。ガイド溝４３ａは、下障子６を見付方向に移動させる際、即ち、下障子６を上方向に移動させる際、また上方向に移動させた下障子６を元の状態に戻す際に、下障子６の吊元側の縦框６３から突出した図示しないガイド（戸先側ではガイド６４３（図１３、図１４参照））を案内する。また、ガイド溝４３ａに沿って、アーム部ガイド溝４４ｄ（図８等参照）が形成されている。なお、図８においては、説明の便宜上、ガラス６５の図示を省略している。
【００４７】
更に、吊元側のスイング縦框４３の上部は、ガイド溝４３ａの内部に配置される図示しない滑車を有する。滑車は、上障子５及び下障子６に一端部及び他端部が接続されて、上障子５及び下障子６を繋ぐ線状部材としてのワイヤ６４８が引っ掛けられる。これにより、上障子５及び下障子６が連動することが可能になる。
【００４８】
スイング金属縦框４３１は、例えばアルミニウムで構成される。より具体的には、スイング金属縦框４３１は、アルミニウムを押出成形することで得られる。
スイング樹脂縦框４３２は、例えば塩化ビニル樹脂等の合成樹脂で構成される。より具体的には、スイング樹脂縦框４３２は、塩化ビニル樹脂等の合成樹脂を押出成形することで得られる。
【００４９】
図５Ａに示すように、縦框５３は、金属縦框５３１と、金属縦框５３１の屋内側に配置される樹脂縦框５３２と、を含んで構成される。金属縦框５３１は、屋外側において気密材４３１ｂと当接する。縦框５３は、戸先側に開口して形成される溝５３ａを有し、ガスケット５３ｂを介してガラス５５の側端縁を挟持する。
【００５０】
更に、縦框５３は、吊元側に突出した吊り金具５７を有する。吊り金具５７は、上障子５を下方向に移動させる際、また下方向に移動させた上障子５を元の状態に戻す際に、スイング縦框４３に形成された溝４３ｂによって案内される。
【００５１】
金属縦框５３１は、例えばアルミニウムで構成される。より具体的には、金属縦框５３１は、アルミニウムを押出成形することで得られる。
樹脂縦框５３２は、例えば塩化ビニル樹脂等の合成樹脂で構成される。より具体的には、樹脂縦框５３２は、塩化ビニル樹脂等の合成樹脂を押出成形することで得られる。
【００５２】
図５Ｂに示すように、縦框６３は、樹脂縦框６３２を有している。縦框６３は、戸先側に開口して形成される溝６３ａを有し、ガスケット６３ｂを介してガラス６５の側端縁を挟持する。
【００５３】
また、縦框６３は、吊元側に突出したガイド６４３（図１３、図１４参照）を有する。ガイド６４３は、下障子６を上方向に移動させる際、また上方向に移動させた下障子６を元の状態に戻す際に、ガイド溝４４ａによって案内される。ガイド６４３には、周方向に１周する溝が形成されており、溝には、ワイヤ６４８が掛けられている。また、ガイド６４３には、図示しないＬ字形状の板状の框固定金具の一端部側の部分が固定されている。図示しない框固定金具の他端部側の部分は、下障子６の縦框６４の下端部に固定されている。
【００５４】
樹脂縦框６３２は、例えば塩化ビニル樹脂等の合成樹脂で構成される。より具体的には、樹脂縦框６３２は、塩化ビニル樹脂等の合成樹脂を押出成形することで得られる。
【００５５】
ドアノブ８ａは、戸先側のスイング縦框４４を貫通して配置される。
サムターン８ｂは、図示しないデットボルトを見付方向に進退させる。
【００５６】
戸先側の固定縦枠２４、スイング縦框４４、縦框５４については、それぞれ吊元側の固定縦枠２３、スイング縦框４３、縦框５３と同様の構成について対応する符号を付して説明を省略し、異なる構成について説明する。
【００５７】
戸先側の固定縦枠２４は、図示しないデットボルトの挿入される図示しない受け部を有する。また、戸先側の固定縦枠２４は、ドアノブ８ａによって操作される図示しないラッチボルトの受け部と、サムターン８ｃによって操作される図示しないデットボルトの図示しない受け部も有する。
【００５８】
続いて、本実施形態において下障子６を上方向へ押し上げる構成について詳細に説明する。
ガイド溝４４ａは、図７に示すように、円弧状部４４ａ−１と直線状部４４ａ−２とを有している。円弧状部４４ａ−１は、ガイド溝４４ａの下端部を構成し、直線状部４４ａ−２は、円弧状部４４ａ−１の上端部よりも上側のガイド溝４４ａの部分を構成している。直線状部４４ａ−２の下端部と円弧状部４４ａ−１の上端部との接続部分は、段差や折れ曲がる角部が生じておらず、滑らかに接続されている。円弧状部４４ａ−１は、所定の値を有する一の半径を有しており、複数種類の半径を有してはいない。円弧状部４４ａ−１は、単体の部品として構成された樹脂製の溝形成部品４４１に形成された円弧状の溝により構成されている。アーム部ガイド溝４４ｄは、直線状部４４ｄ−２のみを有している。
【００５９】
図７等に示すように、ガイド溝４４ａの底部には、付勢部材としてのばね４４１ａがガイド溝４４ａに沿って配置されて設けられている。下障子６が閉じられる際には、下障子６が下方向へ移動してきて、ガイド溝４４ａ内を移動してきたガイドピンとしてのガイド６４３がばね４４１ａの上端部に当接し、ばね４４１ａが圧縮され、下障子６が閉じられる。
【００６０】
このように、下障子６が閉じられた状態のときには、ばね４４１ａは圧縮されているため圧縮ばねを構成し、ガイド６４３を鉛直方向に対して所定の角度をなす方向（ガイド溝４４ａに沿った方向）へ押圧する。下障子６を閉鎖状態に固定していたスライドロック８ｄを解錠させることにより下障子６の固定が解除されると、圧縮されているばね４４１ａの付勢力によりガイド６４３と一体で下障子６がガイド溝４４ａに沿って屋内側の上方向へ押圧され押し上げられる。このとき、ばね４４１ａの付勢力により、見込方向において下障子６の上框６１が上障子５の下框５２に対向する位置まで下障子６は押し上げられる。
【００６１】
前述のように、スイング縦框４４は、吊元側のスイング縦框４３と同様の構成を有しているため、ガイド溝４３ａの底部にもガイド溝４４ａの底部と同様に図示しないばねが、ガイド溝４４ａに沿って配置されて設けられており、図示しないガイドを、鉛直方向に対して所定の角度をなす方向（ガイド溝４３ａに沿った方向）へ押圧する。
【００６２】
続いて、本実施形態において下障子６を鉛直方向に屋内側へ押し出す構成について詳細に説明する。上記のように、図６に示すように、下障子６の上面には突出部材７９１と、突出部材支持部７９２とが設けられている。
突出部材支持部７９２は、下障子６の上面に固定されて設けられており、左右両端に見込み方向に延びる側壁部７９２１がそれぞれ設けられている。スライドロック８ｄにより下障子６が施錠された状態のときには、側壁部７９２１の先端部は、金属下框５２１の下方延出部５２１１（図４参照）に当接している。
【００６３】
突出部材７９１は、側壁部７９２１の間に配置されて設けられている。突出部材７９１は、側壁部７９２１にガイドされる被ガイド部７９１１と、被ガイド部７９１１の突出端部において台形状に被ガイド部７９１１よりも見付け方向に広がる先端当接部７９１２とを備えている。被ガイド部７９１１が側壁部７９２１にガイドされることにより、突出部材７９１は、側壁部７９２１に沿って、見込み方向へ、即ち、下障子６の上框６１から上障子５の下框５２に対して進退可能に、突出部材支持部７９２に支持されている。
【００６４】
突出部材支持部７９２の後端部と突出部材７９１との間には、圧縮ばね７９１３が設けられている。圧縮ばね７９１３は、突出部材７９１を見込み方向屋外側、即ち、下障子６の上框６１から上障子５の下框５２に向かう方向へ付勢しており、これにより、突出部材７９１は、下障子６の上框６１の屋外側の見付け面から屋外側へ突出している。圧縮ばね７９１３による付勢力は、下障子６施錠／解錠の切換えを行う施錠機構としてのスライドロック８ｄにより下障子６が施錠された状態から解錠されたときに、上障子５の下方の同一平面内に配置されていた下障子６を、上障子５よりも屋内側へ突出した状態とすることが可能な強度である。即ち、スライドロック８ｄにより下障子６が解錠されたときに、圧縮ばねによる付勢力により、側壁部７９２１の先端部は、下方延出部５２１１を押すことにより相対的に屋内側へ下框５２を押して下方延出部５２１１から離間させ、上障子５の下方の同一平面内に配置されていた下障子６を、上障子５よりも屋内側へ突出した状態とする。
【００６５】
そして、突出部材７９１の突出端部である先端当接部２９１２が、下障子６の上框６１から屋外側である上障子５の下框５２へ向かって突出する最大突出量Ｌ１は、見込み方向において上框６１と下框５２とが対向するときの上框６１と下框５２との間の隙間Ｌ２よりも小さい。
【００６６】
続いて、本実施形態におけるワイヤ６４８の長さを調整する調整部としての吊り金具５７について詳細に説明する。図９は、建具１の吊り金具５７において調整基部５７１が最も下側に位置した状態を屋内側から見た図である。図１０は、図９に示す建具１の吊り金具５７を、戸先側から戸尻側へ向かう方向から見た図である。図１１は、建具１の吊り金具５７において調整基部５７１が最も上側に位置した状態を屋内側から見た図である。図１２は、図１１に示す建具１の吊り金具５７を、戸先側から戸尻側へ向かう方向から見た図である。図１３は、上障子５及び下障子６が閉じた状態を説明する図である。図１４は、上障子５及び下障子６が開いた状態を説明する図である。
【００６７】
吊り金具５７は、上障子５の左右両下端部にそれぞれ固定されて設けられている。吊り金具５７において、ワイヤ６４８の一端部の固定部材６４８２を上障子５に対して相対的に上下に変位させることによって、吊り金具５７と下障子６のガイド６４３との間のワイヤ６４８の長さを調節可能である。上障子５の左右両下端部の吊り金具５７は左右対称形状に形成されているため、一方の吊り金具５７についてのみ説明し、他方の吊り金具５７については説明を省略する。
【００６８】
図９等に示すように、吊り金具５７は、調整基部５７１と、ワイヤ係止部５７２と、ねじ５７３と、を備えている。
調整基部５７１は、金属製で板状に形成されている。調整基部５７１の長手方向における先端部５７１１における幅は、基部５７１２よりも幅が狭く形成されており、当該先端部５７１１は、図示しない貫通孔に図示しないねじが貫通されて上障子５の下端部に固定される。調整基部５７１の基部側の端部は、上方向に折り曲げられて延びる延出板部５７１４と、延出板部５７１４の上端部から屋外側へ折り曲げられて図１０に示すように傾斜する傾斜部５７１５とを有している。延出板部５７１４には、図９に示すように、上下方向に延びる長孔５７１６が形成されている。傾斜部５７１５は、ワイヤ６４８の一端部から図示しない滑車に向かって延びるワイヤ６４８の延出方向に対して所定のなす角度に傾斜する。傾斜部５７１５の下側の面には、後述の調整部材５７５の上端面である傾斜面が面で当接している。
【００６９】
ワイヤ係止部５７２は、側方視で略コの字形状に形成された金属製の板状部材により構成されており、下側部５７２１と側部５７２２と上側部５７２４とを有している。下側部５７２１には、図１０に示すように、調整部材５７５が当接して載置されている。側部５７２２は、下側部５７２１の上端部から上方に延びており、側部５７２２の中央部分には、図１０に示すように、上下方向に長い長方形状の凹部５７２３が、傾斜部５７１５に接近する方向に窪んで形成されている。上側部５７２４は、側部５７２２の上端部から側部５７２２に直交する方向である水平方向へ延びている。上側部５７２４の延出端部には、貫通孔が形成されており、ワイヤ６４８の一端部の固定部材６４８２が当該貫通孔を貫通して固定されている。従ってワイヤ６４８は、貫通孔において固定された固定部材６４８２から上方向へ延びて滑車に至る。
【００７０】
ねじ５７３は、屋内側から屋外側へ向かって長孔５７１６を貫通し、調整部材５７５の下部に形成され雌ねじが形成された貫通孔５７５１を貫通して当該雌ねじに螺合している。調整部材５７５は、図１０、図１２に示す断面視では、上面が傾斜部５７１５の下面に平行な傾斜面により構成され、下面が水平な面により構成された台形状に形成されている。ねじ５７３を回転させることにより、調整部材５７５は、延出板部５７１４に対して進退（見付方向に進退）する。
【００７１】
即ち、ねじ５７３を回転させることにより、調整部材５７５が図１０に示す屋外側の位置から図１２に示す屋内側の位置へと移動する。これにより、ワイヤ係止部５７２の下側部５７２１に対して調整基部５７１の傾斜部５７１５が上方向へ移動させられて、ワイヤ６４８の固定部材６４８２に対して、調整基部５７１の先端部５７１１、及び、先端部５７１１に固定される上障子５が、上側へ移動する。この移動に伴い、ねじ５７３の軸５７３１は、長孔５７１６内を下に移動する。また、ねじ５７３を反対方向に回転させることにより、調整部材５７５が図１２に示す屋内側の位置から図１０に示す屋外側の位置へと移動する。これにより、ワイヤ係止部５７２の下側部５７２１に対して調整基部５７１の傾斜部５７１５が下方向へ移動させられて、ワイヤ６４８の固定部材６４８２に対して、調整基部５７１の先端部５７１１、及び、先端部５７１１に固定される上障子５が、下側へ移動する。この移動に伴い、ねじ５７３の軸５７３１は、長孔５７１６内を上に移動する。これにより、上下方向における下障子６に対する上障子５の位置が調節される。
【００７２】
このようにねじ５７３を締めたり緩めたりする際には、ドライバが用いられてねじ５７３が回転させられるが、ねじ５７３の軸５７３１の延びる方向は、見込方向に平行であり屋内側から屋外側へ向かう方向である。このため、上障子５及び下障子６開き、下框５２が下框６２よりも下側に位置するように上障子５を下げると共に下障子６を上げた状態として、屋内側からねじ５７３にドライバを係合させて、ねじ５７３を回転させることが可能である。
【００７３】
続いて、本実施形態におけるストッパ４６について詳細に説明する。
ストッパ４６は、別部品として設けられた保持部４６１と、上側規制部４６２とにより構成される。保持部４６１は、ガイド溝４４ａを上下に区画するように設けられてスイング縦框４４に固定されている。上側規制部４６２は、アーム部ガイド溝４４ｄと溝４４ｂとを上下に区画するように設けられてスイング縦框４４に固定されている。ストッパ４６は、スイング縦框４３にも左右対称形状の構成で設けられているが、左右対称形状であること以外の構成は同一であるため、説明を省略する。
【００７４】
保持部４６１は、下側に開口する略Ｃ字形状に形成され、外郭はコの字形状に形成されている。略Ｃ字形状の部分に下側からアーム部ガイド溝４４ｄに沿って移動してきたガイド６４３が係合して、下障子６の上方向への移動が規制される。保持部４６１は、図８に示すように、上側規制部４６２よりも上側に配置されている。これにより、図１３に示す状態から、図１４に示すように、下框５２が下框６２よりも下側に位置するように上障子５を下げると共に下障子６を上げた状態とすることが可能である。この状態とすることで、吊り金具５７のねじ５７３が上障子５の左右の下端部の屋内側の見付面に位置し、屋内側からねじ５７３にドライバを係合させて回転させることが可能となる。
【００７５】
本実施形態によれば、以下の効果が奏される。
本実施形態では、第２障子としての下障子６の上框６１には、下障子６を屋内側へ付勢する付勢部材としての突出部材７９１が設けられている。これにより、上障子５及び下障子６の閉鎖時には、上障子５と下障子６とは同一平面上に位置するいわゆるフラットスライド構造を有する戸体４において、スライドロック８ｄにより下障子６が施錠された状態から解錠されたときに、上障子５の下方の同一平面内に配置されていた下障子６を、上障子５よりも屋内側へ突出した状態とすることが可能となる。このため、下障子６の開き方をイメージすることが容易となり、容易に下障子６を開くことが可能となる。
【００７６】
また、付勢部材は、付勢部材が設けられている下障子６の上框６１から上障子５の下框５２に対して進退可能な突出部材７９１により構成される。また、突出部材７９１は、下障子６の上框６１の上面に設けられている。これにより、突出部材７９１によって上障子５の下框５２を押すことにより、下障子６の上框６１を屋内側へ押し出すことが可能となる。
【００７７】
また、突出部材７９１の突出端部が、下障子６の上框６１の屋外側の端面（見付面）から屋外側へ突出する最大突出量Ｌ１は、見込み方向において下障子６の上框６１が上障子５の下框５２に対向するときの上框６１と下框５２との間の隙間Ｌ２よりも小さい。これにより、突出部材７９１が上障子５の下框５２に当たって下障子６を上方向に上げることができないことを防止することが可能となる。
【００７８】
また、下障子６の上框６１から突出部材７９１を突出させる方向へ付勢するばね７９１３を備え、ばね７９１３による付勢力は、下障子６の施錠／解錠の切換えを行うスライドロック８ｄにより下障子６が施錠された状態から解錠されたときに、下障子６を上障子５よりも屋内側へ突出した状態とすることが可能な強度である。これにより、スライドロック８ｄにより下障子６が施錠された状態から解錠されたときに、上障子５の下方の同一平面内に配置されていた下障子６を、上障子５よりも屋内側へ突出した状態とすることを確実とする。
【００７９】
また、本実施形態では、下障子６を上方へ付勢する付勢部材としての圧縮ばねであるばね４４１ａが設けられている。これにより、下障子６の開放を容易に行うことが可能となる。
【００８０】
また、ばね４４１ａは、下障子６と一体で上下方向への移動するガイドピンとしてのガイド６４３をガイドするガイド溝４４ａに沿って配置され、ガイド６４３を上方へ押圧する。これにより、上障子５及び下障子６の閉鎖時に、上障子５と下障子６とが同一平面上に位置するいわゆるフラットスライド構造を有する戸体４において、下障子６を上げて開く方向をイメージすることが容易となる。
【００８１】
また、ガイド溝４４ａの下部は、鉛直方向に対して所定の角度をなす方向へ延びる円弧状部を有し、ばね４４１ａは、円弧状部４４ａ−１に配置され、ガイド６４３を鉛直方向に対して所定の角度をなす方向へ押圧する。これにより下障子６が開く方向へガイド６４３をばね４４１ａにより付勢して、下障子６がなめらかに開くようにすることが可能となる。
【００８２】
また、ばね４４１ａは、見込方向において下障子６の上框６１が上障子５の下框５２に対向する位置まで下障子６を押し上げることが可能な付勢力を有する。これにより、下障子６は、鉛直方向に上げることが可能な位置まで、ばね４４１ａによって押し上げられるため、人の手によって容易に下障子６開くことが可能となる。
【００８３】
また、ガイド６４３は、下障子６の左右両端に設けられ、各ガイド６４３は、一対形成されたガイド溝４４ａにそれぞれ係合してガイドされ、ばね４４１ａは、一対のガイド溝４４ａにそれぞれ沿って配置されている。これにより、左右バランスよく、ばね４４１ａはガイド６４３を付勢することができ、下障子６をスムーズに押し上げることが可能となる。
【００８４】
また、本実施形態では、下障子６は、上障子５よりも上側に位置することが可能であり、上障子５の屋内側の見付面に、調節部としての吊り金具５７が位置している。このため、屋内側から吊り金具５７における、下障子６に対する上障子５の位置の調整を行うためのドライバ等の操作を容易とすることが可能となる。これにより、例えば、網戸が設けられている場合には、網戸を取り外さずに当該調整を行うことが可能となる等、調整時間の短縮を図ることが可能となり、調整のやり易さを向上させることが可能となる。
【００８５】
また、下障子６が上障子５よりも上側に位置する状態となったときに、上障子６が下へ移動することを規制する第１のストッパとしての上側規制部４６２に上障子５が当接し、下障子６が上へ移動することを規制する第２のストッパとしての保持部４６１に下障子６が当接するように、上側規制部４６２は、保持部４６１よりも下側に位置している。これにより、下障子６が上障子５よりも確実に上側に位置した状態のときに、下障子６及び上障子５の上下方向への移動を規制することが可能となる。
【００８６】
また、調節部は、ワイヤ６４８の一端部が係止されるワイヤ係止部５７２と、ワイヤ６４８の一端部から滑車に向かって延びるワイヤ６４８の延出方向に対して所定のなす角度に傾斜する傾斜部５７１５と、傾斜部５７１５から下方向へ延びる延出板部５７１４と、を有して上障子５に固定される調整基部５７１と、一端部がワイヤ係止部５７２に当接し、他端部が傾斜部５７１５に当接する中間部材としての調整部材５７５と、調整部材５７５に螺合し、回転させられることにより調整部材５７５を延出板部５７１４に対して進退させるねじ５７３と、を備え、ねじ５７３を回転させることにより、ワイヤ係止部５７２がワイヤ６４８の延出方向に移動して、上下方向における下障子６に対する上障子５の位置が調節される。これにより、屋内側からドライバ等によりねじ５７３を回転させることにより、上下方向における下障子６に対する上障子５の位置を容易に調節可能である。
【００８７】
また、延出板部５７１４には、貫通孔である長孔５７１６が形成され、ねじ５７３は、長孔５７１６を貫通して調整部材５７５に螺合し、長孔５７１６内を移動可能である。これにより、ドライバ等によりねじ５７３を回転させることにより、ねじ５７３が長孔５７１６内を移動することで、調整部材５７５を移動させることによる、上下方向における下障子６に対する上障子５の位置の調節を容易に行うことが可能となる。
【００８８】
なお、本発明は上記実施形態に限定されるものではなく、本発明の目的を達成できる範囲での変形、改良等は本発明に含まれる。
【００８９】
例えば、上記実施形態では、建具１は、採風窓を有するドアにより構成されていたが、この構成に限定されない。例えば、建具は、上げ下げ窓により構成されてもよい。
【００９０】
また、上記実施形態では、上障子５、下障子６は、それぞれ３枚の板ガラスを備える複層ガラスであったが、この構成に限定されない。少なくとも下障子は、３枚以上の枚数を有する複層ガラスを備えていればよい。
【００９１】
また、上記実施形態では、付勢部材として圧縮ばね４４１ａが用いられたが、これに限定されない。また、吊り金具の構成は、本実施形態における吊り金具５７の構成に限定されない。また、移動規制部の構成は、本実施形態におけるストッパ４６の構成に限定されない。また、ワイヤ６４８を上方向に引くことより下障子６を上方向に引き上げる構成を有していてもよい。
【００９２】
また、上記実施形態では、上障子及び下障子は、いわゆるフラットスライド構造を備えていたが、これに限定されない。
【符号の説明】
【００９３】
１…建具
４…戸体
５…上障子
６…下障子
４０…スイング框体
４１…スイング上框
４２…スイング下框
４３…スイング縦框
４４…スイング縦框
４４ａ…ガイド溝
４４ａ−１…円弧状部
４６…ストッパ（移動規制部材）
５０…框体
５７…吊り金具（調節部）
６０…框体
４４１ａ…ばね（付勢部材）
４６１…保持部
４６２…上側規制部
５７１…調整基部
５７２…ワイヤ係止部
５７３…ねじ
５７５…調整部材（中間部材）
６４３…ガイド（ガイドピン）
６４８…ワイヤ
７９１…突出部材（付勢部材）
７９２…突出部材支持部（付勢部材）
５７１１…当該先端部（基部平板部）
５７１４…延出板部（下方延出板部）
５７１５…傾斜部（傾斜板部）
５７１６…長孔
７９１３…圧縮ばね（付勢部材）
Ｌ１最大突出量
Ｌ２隙間
【図１】
2020159102.tif 000003
【図２】
2020159102.tif 000004
【図３】
2020159102.tif 000005
【図４】
2020159102.tif 000006
【図５Ａ】
2020159102.tif 000007
【図５Ｂ】
2020159102.tif 000008
【図６】
2020159102.tif 000009
【図７】
2020159102.tif 000010
【図８】
2020159102.tif 000011
【図９】
2020159102.tif 000012
【図１０】
2020159102.tif 000013
【図１１】
2020159102.tif 000014
【図１２】
2020159102.tif 000015
【図１３】
2020159102.tif 000016
【図１４】
2020159102.tif 000017